(57)【特許請求の範囲】
【請求項１】
地域的特性を内包した第1実名に対応して多数の地域情報が地域別に保存されている地域情報データベース;
ネットワーク上のインターネットアドレスに対応して第1実名と位置情報が保存されている第１実名データベース;
第２実名に対応してインターネットアドレスが保存されている第２実名データベース；
前記クライアントから提供されるウェブページ接続用文字列が実名である場合、前記実名が前記地域情報データベースに保存されている第１実名であれば前記クライアントの位置を判断し、前記クライアントの位置情報に対応する地域内に位置する第１実名の地域情報をクライアントに提供するウェブサーバー；
前記クライアントから入力されるウェブページ接続用文字列が第1実名である場合には第１実名及びクライアントの位置情報を一つのドメインとして処理し前記第1実名データベースを検索して対応するインターネットアドレスを探して前記クライアントに提供し、前記実名が第２実名である場合には前記第２実名データベースを検索して前記第２実名に対応するインターネットアドレスを前記クライアントに提供する実名サーバー
を含む地域情報提供システム。
【請求項２】
前記実名は地域的特性を内包した生活情報キーワードである第１実名であることを特徴とする請求項１に記載の地域情報提供システム。
【請求項３】
前記地域情報データベースに保存された実名が地域情報を有する第１実名または地域情報を有しない第２実名に区分されるように保存されている請求項１または２に記載の地域情報提供システム。
【請求項４】
ネットワーク上のインターネットアドレスに対応して位置情報が保存されている位置情報データベースをさらに含み、前記ウェブサーバーは接続するクライアントのインターネットアドレスに基づいて前記位置情報データベースを検索して位置情報を抽出し、この位置情報をクライアントの位置情報として使用する請求項１に記載の地域情報提供システム。
【請求項５】
前記クライアントはプログラム手段を通じて位置情報を前記ウェブサーバーに提供し、前記ウェブサーバーは前記クライアントから提供される位置情報をクライアントの位置情報として使用する請求項１に記載の地域情報提供システム。
【請求項６】
クライアントに割当てられた識別番号に対応して使用者情報が保存されている会員情報データベースをさらに含み、前記ウェブサーバーは接続するクライアントから入力される識別番号に基づいて前記会員情報データベースを検索して使用者情報を探し、前記使用者情報によって位置情報を抽出してクライアントの位置情報として使用する請求項１に記載の地域情報提供システム。
【請求項７】
前記使用者情報は郵便住所、郵便番号、電話番号を含み、前記ウェブサーバーは前記郵便住所または郵便番号、電話番号によってクライアントの位置情報を抽出することを特徴とする請求項６に記載の地域情報提供システム。
【請求項８】
前記クライアントが移動通信端末機で前記ウェブサーバーが移動通信サービスシステムに連結されており、前記移動通信サービスシステムは前記移動通信端末機の位置情報を測定して前記ウェブサーバーに提供し、前記ウェブサーバーは前記移動通信システムから提供される移動通信端末機の位置情報をクライアントの位置情報として使用する請求項１に記載の地域情報提供システム。
【請求項９】
前記クライアントはウェブページ接続用文字列の入力動作をチェックして入力されたウェブページ接続用文字列を前記ウェブサーバーに提供するアプリケーションプログラムを含む請求項１に記載の地域情報提供システム。
【請求項１０】
前記ウェブサーバーは前記クライアントがネットワークを通じて接続するとウェブページ接続用文字列入力ウィンドウを提供し、前記ウェブページ接続用文字列入力ウィンドウを通じて前記クライアントからウェブページ接続用文字列が入力されると前記ウェブページ接続用文字列が実名であるかどうかを判断する請求項１に記載の地域情報提供システム。
【請求項１１】
前記クライアントはウェブブラウザーを通じてウェブページ接続用文字列を前記ウェブサーバーに提供する請求項１に記載の地域情報提供システム。
【請求項１２】
前記クライアントはインターネット接続が可能な端末機であることを特徴とする請求項１に記載の地域情報提供システム。
【請求項１３】
前記地域情報提供システムは地域情報提供サービスを提携した多数の提携サイトとネットワークとを通じて連結されており、前記クライアントが前記提携サイトに接続してウェブページ接続用文字列を入力した場合、前記提携サイトは前記ウェブページ接続用文字列を地域情報提供システムのウェブサーバーに提供し、前記ウェブサーバーは前記提携サイトから提供されるウェブページ接続用文字列が実名である場合、クライアントの位置情報によって該当する地域情報を前記クライアントに提供することを特徴とする請求項１に記載の地域情報提供システム。
【請求項１４】
ネットワークを通じて接続するクライアントに実名を利用した地域情報を提供する方法において、
（ａ）前記ネットワークを通じて接続するクライアントから提供されるウェブページ接続用文字列が地域特性を内包した第１実名であるか、それとも第２実名であるかを判断する段階;
（ｂ）前記ウェブページ接続用文字列が第１実名である場合、前記クライアントの位置情報を設定する段階;
（ｃ）前記第１実名とクライアントの位置情報に対応してインターネットアドレスが保存されているデータベースを検索して、前記第１実名と位置情報に対応するインターネットアドレスを前記クライアントに提供する段階；及び
（ｄ）前記ウェブページ接続用文字列が第２実名である場合、前記第２実名に該当するインターネットアドレスをクライアントに提供する段階を含み、
前記（ａ）段階は実名に対応して地域情報が保存されているデータベースを検索して、入力されたウェブページ接続用文字列が前記データベースに保存されていれば第１実名であると判断する
地域情報提供方法。
【請求項１５】
前記（ｂ）段階は接続するクライアントのインターネットアドレスに基づいて位置情報を抽出し、この位置情報をクライアントの位置情報として設定する請求項１４に記載の地域情報提供方法。
【請求項１６】
前記（ｂ）段階は、接続するクライアントの郵便住所、郵便番号及び電話番号を含む使用者情報に基づいて位置情報を抽出し、この位置情報をクライアントの位置情報として設定する請求項１４に記載の地域情報提供方法。
【請求項１７】
前記（ｂ）段階は、前記クライアントの位置情報を入力するためのプログラム手段から提供される位置情報をクライアントの位置情報として設定する請求項１４に記載の地域情報提供方法。
【請求項１８】
前記（ｃ）段階は、前記ウェブページ接続用文字列が実名であり、前記実名及びクライアントの位置情報にＵＲＬ情報が対応している場合、前記ＵＲＬ情報を前記クライアントに提供することを特徴とする請求項１４に記載の地域情報提供方法。
【請求項１９】
前記（ｃ）段階は、前記ウェブページ接続用文字列が実名である場合、前記実名とクライアントの位置情報に該当する多数の地域情報を示す検索結果を前記クライアントに提供することを特徴とする請求項１４に記載の地域情報提供方法。
【請求項２０】
第１実名に対応して多数の地域情報が地域別に保存されている地域情報データベース；
ネットワーク上のインターネットアドレスに対応して第１実名と位置情報が保存されている第１実名データベース；
前記クライアントから提供されるウェブページ接続用文字列が実名である場合、前記実名が前記地域情報データベースに保存されている第１実名であれば前記クライアントの位置を判断し、前記クライアントの位置情報に対応する地域内に位置する第１実名の地域情報をクライアントに提供するウェブサーバー；
前記クライアントから入力されるウェブページ接続用文字列が第1実名である場合には第１実名及びクライアントの位置情報を一つのドメインとして処理し前記第1実名データベースを検索して対応するインターネットアドレスを探して前記クライアントに提供し、前記クライアントがインターネットアドレスに該当するウェブページに連結されるようにする実名サーバー
を含む地域情報提供システム。
【発明の詳細な説明】
【０００１】
【発明の属する技術分野】
本発明は実名を利用した地域情報提供システム及びその方法に関し、さらに詳しくは、実名を用いて使用者をネットワーク上の特定ウェブページに接続させると同時に、使用者の位置情報によって実名に該当する地域情報を提供するシステム及びその方法に関する。
【０００２】
【従来の技術】
急激なネットワーク関連技術の発展によって、最近はインターネット（ｉｎｔｅｒｎｅｔ）という巨大なネットワーク網を通じて全人類が多様な情報を共有するようになった。
【０００３】
インターネットとは単純にいくつかのコンピュータが集まって成ったものでなく互いに異なるいろいろな種類のコンピュータ等のネットワーク（ｎｅｔｗｏｒｋ）が互いに連結して形成された巨大な連結網であり、このようなインターネットに連結された各コンピュータには互いを識別するために物理的な住所、つまりＩＰ（ｉｎｔｅｒｎｅｔ ｐｒｏｔｏｃｏｌ）アドレスが割当てられている。
【０００４】
しかし、このような物理的な住所は２５５を越えない数字からなる四つのグループで構成されているので（例えば、１３４．７８．２３８．９９）使用者の立場ではこのような数字列を記憶するのが非常に難しくて、インターネットに連結された特定コンピュータに接続しようとするたびに使用者がこのようなＩＰアドレスをいちいち記入するというのは大変面倒なことである。
【０００５】
従って、物理的な住所を直接用いて各コンピュータに接続する代わりに、ＩＰアドレスを記憶しやすい文字列の組み合わせと一対一に対応させて使用者が文字列を入力すれば、該当するＩＰアドレスを有するコンピュータに自動的に連結されるようにする方式が用いられる。このようにＩＰアドレスの代りに用いられる文字等の組み合わせをドメインネーム（ｄｏｍａｉｎ ｎａｍｅ）という。
【０００６】
ドメインネームとはインターネットに連結されたコンピュータのインターネット上での住所を示すものであって、一般にそのコンピュータの特性、または地理的位置などを表示する識別字で構成される。各コンピュータのＩＰアドレスの代りにドメインネームを使用するためには各コンピュータのＩＰアドレスとドメインネームを対応させる機能を遂行する別途の装置が要求され、このような要求によってインターネットに連結された各コンピュータはこのような機能を遂行するコンピュ−タシステム、つまりドメインネームサーバー（ｄｏｍａｉｎ ｎａｍｅ ｓｅｒｖｅｒ、別名”ＤＮＳ”）と関連している。
【０００７】
一般に、クライアントがインターネットの特定コンピュータに接続するために該当コンピュータのドメインネーム、例えば ”ｄｅｆ．ｃｏ．ｋｒ”に対するＩＰアドレスの確認を設定されたドメインネームサーバーに要請すれば、ドメインネームサーバーはＩＰアドレスを管理する登録機関のサーバーに入力されるドメインネームに該当するＩＰアドレスを問い合わせ、登録機関のサーバーから提供されるＩＰアドレスをクライアントにリターンさせて、これに伴いクライアントは該当ＩＰアドレスを有するコンピュータに接続される。
【０００８】
【発明が解決しようとする課題】
前述したように、インターネット上の特定コンピュータに接続するためには該当ドメインネームを知っていなければならない。しかし、一般にドメインネームは一定の規則によって作られた英文字の組み合わせからなるので、韓国または日本、中国など非英語圏国家の国民は英語圏国家に比べて相対的にドメインネームを暗記しがたい短所がある。
【０００９】
また、特定ウェブページに接続するのに情報が保存されたディレクトリまたはファイルネームが要求される場合、特定ページの接続のためのディレクトリファイルネームはコンピュータを運営する人によって変更可能であり、ドメインネームのように英文字の組み合わせからなる。
【００１０】
従って、インターネットウェブページ接続のためのドメインネーム及びファイルネームを暗記しがたく、ドメインネーム及びファイルネームの入力にも多くの時間がかかる短所がある。
【００１１】
一方、このようなインターネット上で使用者が特定の情報を探そうとする場合には、ブラウザー上で情報検索を提供するサイトのドメインネームを入力して該当サイトに接続した後、再び探そうとする情報の検索語を入力しなければならない。また、使用者が特定の位置に含まれる情報だけを選別的に探そうとする場合には別途に位置設定をしなければならないなど所望の情報を探すために経る段階が複雑である短所がある。
【００１２】
本発明がなそうとする技術的課題は、ネットワーク上のウェブページのドメインネームなどのＵＲＬを入力しないでも接続しようとするウェブページが実際に呼ばれる実名を用いて該当ウェブページに容易に接続することができるようにすると同時に、使用者の位置情報によって実名に該当する地域情報を提供して使用者が速かに多様な情報の提供を受けることができるようにすることにある。
【００１３】
ここで、ウェブページはＷＷＷ（ｗｏｒｌｄ ｗｉｄｅ ｗｅｂ）の他にも電子郵便、ＦＴＰ（ｆｉｌｅ ｔｒａｎｓｆｅｒ ｐｒｏｔｏｃｏｌ）、テレネット（ｔｅｌｅｎｅｔ）などの全てのネットワーク基盤のサービスを提供するサーバーを示す。
【００１４】
【課題を解決するための手段】
このような技術的課題を達成するための、本発明の特徴による実名を利用した地域情報提供システムは、実名に対応して多数の地域情報が地域別に保存されている地域情報データベース;前記クライアントからウェブページ接続用文字列が入力されると前記ウェブページ接続用文字列が実名であるかどうかを判断し、前記ウェブページ接続用文字列が実名である場合、前記地域情報データベースを検索し、前記クライアントの位置情報に対応する地域内に位置する実名の地域情報をクライアントに提供するウェブサーバーを含む。
【００１５】
その他にも地域情報提供システムは、ネットワーク上のインターネットアドレス、そして実名及び位置情報が互いにマッチングして保存されている第１実名データベース;及び前記クライアントから入力されるウェブページ接続用文字列が実名である場合、前記実名とクライアントの位置情報に基づいて前記第１実名データベースを検索して対応するインターネットアドレスを探した後、クライアントに提供する実名サーバーをさらに含むことができる。
【００１６】
ここで、前記実名は生活情報キーワードである第１実名でありうる。そして、会社名、商品名及びサービス名を含む第２実名に対応してインターネットアドレスが保存されている第２実名データベースをさらに含むことができ、この場合に前記実名サーバーは前記実名が第１実名であれば前記第１実名データベースを検索して実名及びクライアントの位置情報に対応しているインターネットアドレスを前記クライアントに提供し、前記実名が第２実名である場合には前記第２実名データベースを検索して前記第２実名に対応しているインターネットアドレスを前記クライアントに提供する。
【００１７】
そして、地域情報データベースに保存された実名が地域情報を有する第１実名または地域情報を有しない第２実名に区分されるように保存することができる。
【００１８】
ここで、前記実名サーバーは前記クライアントから入力されたウェブページ接続用文字列が第１実名である場合、クライアントの位置情報と前記第１実名を合わせて１つのドメインで処理する。
【００１９】
一方、地域情報提供システムはネットワーク上のインターネットアドレスに対応して位置情報が保存されている位置情報データベースをさらに含むことができ、この場合、前記ウェブサーバーは接続するクライアントのインターネットアドレスに基づいて前記位置情報データベースを検索して位置情報を抽出し、この位置情報をクライアントの位置情報として使用する。
【００２０】
また、前記クライアントはプログラム手段を通じて位置情報を前記ウェブサーバーに提供することができて、これによって前記ウェブサーバーが前記クライアントから提供される位置情報をクライアントの位置情報として使用することができる。
【００２１】
また、地域情報提供システムはクライアントに割当てられた識別番号に対応して使用者情報が保存されている会員情報データベースをさらに含むことができ、この場合に前記ウェブサーバーは接続するクライアントから入力される識別番号に基づいて前記会員情報データベースを検索して使用者情報を探し、前記使用者情報によって位置情報を抽出してクライアントの位置情報として使用する。
【００２２】
ここで、使用者情報は郵便住所、郵便番号、電話番号を含み、前記ウェブサーバーは前記郵便住所または郵便番号または電話番号によってクライアントの位置情報を抽出する。
【００２３】
その他、前記クライアントが移動通信端末機で前記ウェブサーバーが移動通信サービスシステムに連結される場合、前記移動通信サービスシステムは前記移動通信端末機の位置情報を測定して前記ウェブサーバーに提供し、前記ウェブサーバーは前記移動通信システムから提供される移動通信端末機の位置情報をクライアントの位置情報として使用する。
【００２４】
そして、前記クライアントはウェブページ接続用文字列入力動作をチェックして入力されたウェブページ接続用文字列を前記ウェブサーバーに提供するアプリケーションプログラムを含むことができ、前記クライアントはウェブブラウザーを通じてウェブページ接続用文字列を前記ウェブサーバーに提供することもできる。また、ウェブページ接続用文字列の提供を受けるためにウェブサーバーは前記クライアントがネットワークを通じて接続すればウェブページ接続用文字列入力ウィンドウを提供し、前記ウェブページ接続用文字列入力ウィンドウを通じて前記クライアントからウェブページ接続用文字列が入力されれば前記ウェブページ接続用文字列が実名であるかどうかを判断することができる。
【００２５】
このようなクライアントはインターネット接続が可能な端末機を含む。
【００２６】
一方、前記地域情報提供システムは地域情報提供サービスを提携した多数の提携サイトとネットワークを通じて連結することができ、前記クライアントが前記提携サイトに接続してウェブページ接続用文字列を入力した場合、前記提携サイトは前記ウェブページ接続用文字列を地域情報提供システムのウェブサーバーに提供すれば、前記ウェブサーバーは前記提携サイトから提供されるウェブページ接続用文字列が実名である場合、クライアントの位置情報によって該当する地域情報を前記クライアントに提供する。
【００２７】
本発明の他の特徴による実名を利用した地域情報提供方法は、ネットワークを通じて接続するクライアントに実名を利用した地域情報を提供する方法で、前記ネットワークを通じて接続するクライアントから提供されるウェブページ接続用文字列が実名であるかどうかを判断する段階;前記ウェブページ接続用文字列が実名である場合、前記クライアントの位置情報を設定する段階;及び前記クライアントの位置情報に対応する地域内に位置された実名に該当する地域情報を探してクライアントに提供する段階を含む。
【００２８】
前記クライアントの位置情報を設定する段階は接続するクライアントのインターネットアドレスに基づいて位置情報を抽出し、この位置情報をクライアントの位置情報として設定することができ、また、接続するクライアントの郵便住所、郵便番号及び電話番号を含む使用者情報に基づいて位置情報を抽出し、この位置情報をクライアントの位置情報として設定することができる。また前記クライアントの位置情報を入力するためのプログラム手段から提供される位置情報をクライアントの位置情報として設定することができる。
【００２９】
一方、前記地域情報を提供する段階は、前記ウェブページ接続用文字列が実名に該当する場合に、前記実名とクライアントの位置情報に該当するインターネットアドレスを前記クライアントに提供し、前記クライアントがインターネットアドレスに該当するウェブページに接続するようにする。その他、前記ウェブページ接続用文字列が実名で前記実名及びクライアントの位置情報にＵＲＬ情報が対応している場合、前記ＵＲＬ情報を前記クライアントに提供する。また、前記ウェブページ接続用文字列が実名である場合、前記実名とクライアントの位置情報に該当する多数の地域情報を示す検索結果を前記クライアントに提供する。
【００３０】
【発明の実施の形態】
以下、本発明が属する技術分野において通常の知識を有する者が本発明を容易に実施することができる最も好ましい実施例を添付した図面を参照しながら詳細に説明する。
【００３１】
本発明の実施例による実名を利用した地域情報提供システムにおいて、インターネット上に登録されている全てのインターネットアドレスに対応してハングルや英語以外の外国語または数字、記号等からなる実名を別途に設定し、実名を利用したウェブページ接続ができるようにする。一方、実名は１つの単語からなる英語である場合もある。
【００３２】
以下、説明の便宜のために既に用いられているドメインネームやファイルネームなどのＵＲＬを”英文ドメインネーム” と命名し、特定ウェブページに接続するためにクライアントから入力される文字列は”ウェブページ接続用文字列”と命名し、インターネット上の特定ウェブページのＩＰアドレス及びＵＲＬを含んでインターネットアドレスと命名する。”ウェブページ接続用文字列”はドメインネームとして”英文ドメインネーム”及び”実名”の全てを含む。そして、本発明の実施例における”実名”は、特に会社名、商品名、またはサービス標章などの実際名を示すが、これに限定されない。
【００３３】
そして本発明の実施例における実名は、地域的特性を内包する生活情報キーワードである第１実名と地域的特性を内包しない第２実名とからなる。第１実名は地域別に類似した特性を有する多数のものが存在することができる対象に対する実名であって、例えば、”役所”、”ピザ”、”映画館”、”病院”などが含まれる。第２実名は第１実名を除いた実名を示し、特に、会社名、商品名及びサービス名を含む。そして、地域情報は地域別に区分される第１実名に関する情報であって、例えば”役所”という第１実名に対して駅三洞という特定地域に位置する役所に関する情報が地域情報であることがあり、”映画館”という第１実名に対して江南区という特定地域に該当する映画館に関する情報が地域情報でありうる。
【００３４】
図１に、本発明の第１実施例による実名を利用した地域情報提供システムの構造が示されている。
【００３５】
添付した図１に示されているように、本発明の第１実施例による実名を利用した地域情報提供システム１０（以下地域情報提供システムと命名する）はインターネット２０（将来の（ｆｕｔｕｒｅ）ネットワークを含む）を通じて多数のクライアント３０及び提携サイト４０と連結されている。
【００３６】
地域情報提供システム１０はインターネット２０を通じて直接接続するクライアント３０や、提携サイト４０を経由して接続するクライアント３０に実名に該当する特定ウェブページに接続されるようにすると同時に、クライアント３０の位置情報に基づいて実名に該当する地域情報を提供する。
【００３７】
このために、クライアントの位置情報による地域情報提供サービスに必要な多数の情報が保存されているデータベースサーバー１１と、このデータベースサーバー１１に保存された情報に基づいて直接接続するクライアント３０、または提携サイト４０を経由して接続するクライアント３０に、位置情報による実名の地域情報を提供するサービス及びウェブページ接続サービスを提供するウェブサーバー１２と実名サーバー１３を含む。
【００３８】
データベースサーバー１１は添付した図１に示されているように、会員情報データベース１１１、地域情報データベース１１２、位置情報データベース１１３及び実名データベース１１４を含む。
【００３９】
会員情報データベース１１１には本発明による地域情報提供サービスを受けることができる会員として加入している使用者に関する多数の情報が使用者別に保存されている。例えば、使用者に割当てられた会員分類コード別に該当使用者の姓名、ログイン（ｌｏｇｉｎ）のための識別番号（以下、ＩＤと命名する）及びパスワード、そして郵便住所を含み、他にも、移動電話番号、電子メール住所、有線電話番号、住民登録番号などの使用者情報が保存できる。ここで使用者の郵便住所は使用者の位置情報として用いることができる。
【００４０】
地域情報データベース１１２には本発明の実施例による第１実名に対応する多数の情報が地域別に保存されている。例えば”役所”という第１実名に対応して駅三洞、石村洞、新沙洞などの各地域別に各地域に属する役所に関する多数の情報（位置情報、紹介など）が保存されている。また、”ピザ”という第１実名に対応して駅三洞、石村洞、新沙洞などの各地域別にピザを配達する配達店に関する情報が保存されている。
【００４１】
位置情報データベース１１３にはＩＰアドレスを管理する登録機関に登録された全てのＩＰアドレスに対する位置情報が保存されている。例えば、”２１１．１４０．３４５．５５”であるＩＰアドレスに対応してこのＩＰアドレスを登録した使用者の位置情報（郵便住所など）が保存されている。ここでは専用線や通信社または別途のＩＳＰ事業者を通じてインターネット２０に接続するクライアント３０に割当てられるＩＰアドレスから行政的位置情報を知ることができる点を用い、このＩＰアドレスから分かる行政的位置情報を使用者の位置情報として使用した。
【００４２】
実名データベース１１４にはインターネット２０上の全てのＩＰアドレスに対応して少なくとも１つ以上の実名（第１及び第２実名を含む）が保存されており、それ以外にもそれぞれの実名に対応してＵＲＬ情報が保存されている。例えば、”２１０．１０３．１７５．６６”であるＩＰアドレスに対応して”ネットピア”という実名が保存されていて、”ネットピア”に対応して”ｎｅｔｐｉａ．ｎｅｔ”であるＵＲＬ情報が保存されている。
【００４３】
特に、本発明の実施例では使用者の位置情報によって地域的特性を内包している第１実名に該当するウェブページに自動的に接続できるように、第１実名と使用者の位置情報に対応してＩＰアドレスまたはＵＲＬ情報が保存されている。例えば、”映画館（第１実名）．江南区駅三洞（使用者位置情報）”に対応して”１２０．１３０．２８０．３３”であるＩＰアドレスが対応して保存できる。結果的に”使用者位置情報+第１実名”が一種のドメインネーム機能を遂行するようになる。
【００４４】
また、実名データベース１１４には第２実名に対応してＩＰアドレスまたはＵＲＬ情報が保存されている。本実施例では実名データベース１１４に第１及び第２実名に対するＩＰアドレスまたはＵＲＬ情報が全て保存されているが、実名データベースを第１実名に対するＩＰアドレスまたはＵＲＬ情報が保存されているデータベースと第２実名に対するＩＰアドレスまたはＵＲＬ情報が保存されているデータベースに各々分離することができる。
【００４５】
ウェブサーバー１２はこのようなデータベース１１１〜１１４に保存されている情報に基づいてクライアント３０に第１実名に該当する地域情報を提供し、クライアント３０または提携サイト４０がインターネット２０を通じてアクセスできるようにするウェブ機能を遂行する。このような機能を遂行するウェブサーバー１２はサイト制御部１２１、情報抽出部１２２、情報提供部１２３、連結処理部１２４及び検索エンジン１２５を含む。
【００４６】
サイト制御部１２１は、インターネット２０を通じて接続するクライアント３０や提携サイト４０にサイト紹介、会員加入などの多様なメニューが掲示されているホームページを提供し、使用者が実名を利用した地域情報サービスを受けることができる会員や提携業者として登録できるようにする。
【００４７】
情報抽出部１２２は、インターネット２０を通じて接続するクライアント３０からＩＰアドレスを抽出し、抽出されたＩＰアドレスに基づいて位置情報データベース１１３を検索して使用者の位置情報を抽出する。
【００４８】
情報提供部１２３は、クライアント３０や提携サイト４０から提供されるウェブページ接続用文字列が第１実名である場合、情報抽出部１２２から提供される使用者の位置情報によって地域情報データベース１１２を検索して第１実名に該当する地域情報を探してクライアント３０に提供する。
【００４９】
連結処理部１２４は、入力されるウェブページ接続用文字列に該当するＩＰアドレスに他の実名が１つ以上対応している場合、つまり該当ＩＰアドレスがリアルＩＰではない場合にはウェブページ接続用文字列に対応しているＵＲＬ情報によってクライアント３０を該当ウェブページに連結させる機能を遂行する。
【００５０】
検索エンジン１２５はウェブページ接続用文字列が実名データベース１１４に保存されていない場合には、インターネット２０上の多数サーバーのデータを検索してウェブページ接続用文字列を含む情報を提供するウェブページの情報を収集する機能を遂行する。
【００５１】
ここで、各構成要素１２１〜１２４はウェブサーバー１２内で作動するように示されているが、これに限られず各々独立的なサーバーとして具現されて該当機能を処理することができる。
【００５２】
実名サーバー１３はクライアント３０や提携サイト４０から入力されるウェブページ接続用文字列が実名であるかどうかを判断し、実名である場合には実名データベース１１４に保存されているデータに基づいてクライアント３０や提携サイト４０に該当ＩＰアドレスを提供する。
【００５３】
特に、ウェブページ接続用文字列が第１実名である場合には使用者の位置情報と共に実名データベース１１４を検索し、入力された第１実名と使用者位置情報に対応して保存されているＩＰアドレスを探してクライアント３０に提供し、クライアント３０が自分が探そうとする地域に位置する第１実名に関する情報を提供するウェブページに自動的に連結されるようにする。
【００５４】
クライアント３０としてはインターネット２０を通じて本発明による地域情報提供システム１０、または提携サイト４０に接続できる通信装置が利用され、例えば、コンピュータや移動通信端末機またはインターネット接続が可能なテレビなどの通信装置を用いることができる。クライアント３０は接続しようとするウェブページに該当するウェブページ接続用文字列を地域情報提供システム１０や提携サイト４０に提供する。
【００５５】
提携サイト４０は前述のような構造からなる本発明による地域情報提供システム１０と業務を提携して別途の実名データベースや地域情報データベースなどを構築しなくてもクライアント３０に実名を利用したウェブページ接続サービスや地域情報提供サービスを提供する業務提携サイトＥＩサーバーである。
【００５６】
従って、クライアント３０は直接地域情報提供システム１０に接続して実名を利用したウェブページ接続サービス及び地域情報提供サービスを受けることができ、その他に提携サイト４０に接続しても本発明による実名を利用したウェブページ接続サービス及び地域情報提供サービスを受けることができる。
【００５７】
このような構造からなる本発明の第１実施例による実名を利用した地域情報提供システムの動作を詳細に説明する。
【００５８】
ここではクライアント３０がインターネットに接続するためのブラウザーを駆動する前にインターネット接続環境設定プログラムなどを実行してＩＰアドレス確認サービスを提供するサーバーとして実名サーバー１３を設定した場合を例に上げて説明する。この場合には一般に用いられる英文ドメインネームサーバー（図示せず）のＩＰアドレス値をあらかじめバックアップしておいてクライアント３０のインターネット接続環境設定プログラムの終了と共に復帰するようにし、クライアント３０の基本的な使用にいかなる変化も発生しないようにするのが好ましい。
【００５９】
図２及び図３に、本発明の第１実施例による実名を利用した地域情報提供システムの動作が順次に示されている。
【００６０】
添付した図２に示されているように、使用者がクライアント３０でインターネット接続のためのウェブブラウザーまたは電子メールプログラムなどを駆動した後にブラウザー上のウェブページ接続用文字列入力ウィンドウにウェブページ接続用文字列を入力すると、入力されたウェブページ接続用文字列は本発明による地域情報提供システム１０の実名サーバー１３に提供される（Ｓ１００）。
【００６１】
実名サーバー１３はクライアント３０から提供されるウェブページ接続用文字列が英文ドメインネームであるか実名であるかを判断し、実名である場合には第１実名であるか第２実名であるかを判断する（Ｓ１１０）。例えば、入力されたウェブページ接続用文字列が”ｎｅｔｐｉａ．ｎｅｔ”のように識別字である”．”が含まれている場合には、入力されたウェブページ接続用文字列が英文ドメインネームであると判断し、入力されるウェブページ接続用文字列を英文ドメインネームサーバー（図示せず）に提供して処理されるようにし、識別字である”．”が含まれていない場合には、ウェブページ接続用文字列が実名であると判断する。そして、入力されたウェブページ接続用文字列が実名である場合には該当実名が地域情報データベース１１２に保存されていているかどうかによって入力された実名が第１実名であるか第２実名であるかを判断する（Ｓ１２０）。しかし、本発明による実名の判断方法は前述したことに限定されず、例えば、前記地域情報データベースに保存された実名が地域情報を有する第１実名、または地域情報を有しない第２実名に区分できるように保存され得る。
【００６２】
実名サーバー１３はクライアント３０から提供されるウェブページ接続用文字列が地域情報データベース１１２に保存されていて第１実名であると判断されれば第１実名をウェブサーバー１２に提供し、これによってウェブサーバー１２の情報抽出部１２２は地域情報提供のために、まずクライアント３０の位置情報を抽出する。
【００６３】
情報抽出部１２２はクライアント３０のＩＰアドレスを抽出した後、抽出されたＩＰアドレスに基づいて位置情報データベース１１３を検索し、ＩＰアドレスに対応している使用者の位置情報を探す（Ｓ１２０〜Ｓ１３０）。
【００６４】
次に、情報提供部１２３は情報抽出部１２２で探した使用者の位置情報と第１実名とに基づいて地域情報データベース１１２を検索し、使用者の位置情報による第１実名の地域情報を探す（Ｓ１４０）。
【００６５】
例えば、クライアント３０のＩＰアドレスによる使用者の位置情報が江南区駅三洞と検索され、そしてウェブページ接続用文字列が”役所”という第１実名である場合には、地域情報データベース１１２を検索して”役所”という第１実名に対応して江南区駅三洞という地域に位置した多数の役所に関する情報を探す。
【００６６】
このように、クライアント３０から入力された第１実名による地域情報を探した後、実名サーバー１３は第１実名と使用者の位置情報に基づいて実名データベース１１４を検索して対応するＩＰアドレスを探す（Ｓ１５０）。
【００６７】
実名サーバー１３は第１実名と使用者の位置情報に対応してこの実名データベース１１４にＩＰアドレスが保存されている場合には該当実名に対応しているＩＰアドレスがリアルＩＰであるかどうかを判断する（Ｓ１６０〜Ｓ１７０）。リアルＩＰアドレスである場合、つまり入力された第１実名と使用者の位置情報に対応するＩＰアドレスに他の実名が対応していない場合には検索されたＩＰアドレスをクライアント３０に提供し、これと共に情報提供部１２３が使用者の位置情報に基づいて検索された第１実名の地域情報をクライアント３０に提供する（Ｓ１８０〜Ｓ１９０）。
【００６８】
従って、クライアント３０は地域情報提供システム１０から提供されるＩＰアドレスによって該当ウェブページに接続すると同時に、地域情報提供システム１０から提供される第１実名の地域情報の提供を受ける。
【００６９】
例えば、江南区駅三洞に位置した役所に関する情報を得ようとする場合、クライアント３０は”役所．江南区駅三洞”に対応しているウェブページに接続されると同時に、江南区駅三洞に位置するか、または江南区駅三洞から設定範囲内に含まれている多数の役所に関する情報の提供を受けるようになる。また、江南区駅三洞に位置し使用者が”ピザ”という第１実名を入力した場合には”ピザ．江南区駅三洞”に対応するウェブページに連結されると同時に、江南区駅三洞に位置したピザ配達店に関する情報の提供を受けることができるようになる。
【００７０】
一方、段階（Ｓ１７０）でリアルＩＰアドレスではない場合、つまり入力された第１実名と使用者位置情報とに対応するＩＰアドレスに他の実名が少なくとも１つ以上対応している場合に、連結処理部１２４が第１実名と使用者位置情報に対応しているＵＲＬ情報によってクライアント３０を該当ウェブページに連結させ（Ｓ２００）、この場合にも情報提供部１２３が使用者の位置情報に基づいて検索された第１実名の地域情報をクライアント３０に提供する（Ｓ２００〜Ｓ２１０）。ここで、クライアント３０が第１実名と使用者位置情報とに対応しているＩＰアドレスまたはＵＲＬによって該当ウェブページに連結されず、単に使用者の位置情報に基づいて検索された第１実名の地域情報だけの提供を受けることもある。
【００７１】
しかし、段階（Ｓ１６０）において、クライアント３０から提供されたウェブページ接続用文字列が実名データベース１２４に保存されていない場合には検索エンジン１２５が駆動されてインターネット２０に連結されている多数のサーバーから該当ウェブページ接続用文字列を含む情報を収集し、クライアント３０を情報検索結果ページに連結させる（Ｓ２２０）。そして、この場合にも情報提供部１２３が使用者の位置情報に基づいて検索された第１実名の地域情報をクライアント３０に提供する（Ｓ２３０）。
【００７２】
従って、クライアント３０は実名を用いて該当ウェブページに接続すると同時に、自分の位置情報によって第１実名の地域情報の提供を受けられるようになる（Ｓ２４０）。
【００７３】
一方、図２に示された段階（Ｓ１１０）でクライアント３０から入力されたウェブページ接続用文字列が第１実名ではない場合、つまり第２実名である場合には、前述したように使用者の位置情報による実名の地域情報を提供せず、実名サーバー１３が実名データベース１１４を検索して第２実名に対応するＩＰアドレスを探してクライアント３０に提供し（Ｓ２５０〜Ｓ２８０）、リアルＩＰではない場合にはウェブサーバー１２の連結処理部１２４が第２実名に対応するＵＲＬによってクライアント３０を該当ウェブページに連結させ（Ｓ２９０）、または第２実名に対応するＩＰアドレスがない場合には検索エンジン１２５がウェブページ接続用文字列に含まれた多数の情報をインターネット２０上で検索してクライアント３０に提供する（Ｓ３００）。
【００７４】
従って、クライアント３０はウェブページ接続サービスの提供を受けると同時に、別途の検索語を入力しなくてにも自分が接続しようとするウェブページに関する多様な情報の提供を受けることができる。特に、使用者は別途の位置指定をしなくても自分の位置が設定範囲内に含まれている所に関する情報の提供を受けられるようになる。
【００７５】
また、使用者の位置情報によって実名に該当する地域情報が提供され、同一の実名を入力した場合にも各使用者の自分の位置情報によって互いに異なる地域情報の提供を受けられるようになる。
【００７６】
一方、前述した実施例ではクライアント３０のＩＰアドレスによって使用者の位置情報を抽出したが、これとは別にクライアント３０が直接接続した場合にはサイト制御部１２１がクライアント３０から提供される会員のＩＤを用いて会員情報データベース１１１に対応している使用者の郵便住所を検索し、この郵便住所に基づいて使用者の位置情報を抽出することもできる。
【００７７】
また、地域情報提供システム１０で使用者の位置情報を抽出する代わりに、接続するクライアント３０に位置情報を入力するための入力ウィンドウを提供した後に、この入力ウィンドウを通じてクライアント３０が直接入力する位置情報を地域情報提供のための使用者の位置情報として使用することもできる。
【００７８】
他にも使用者の位置情報を移動通信システムを通じて得ることができ、図４にこのような場合に該当する本発明の第２実施例による実名を利用した地域情報提供システムの構造が示されている。
【００７９】
添付した図４に示されているように、本発明の第２実施例による地域情報提供システムの構造は前述した第１実施例と同一になり、単に第１実施例とは異なって使用者の位置情報を提供する移動通信システム５０と連結されている。
【００８０】
具体的には移動通信システム５０は該当セル内の移動通信端末機から送信される信号を受信する基地局５１、基地局５１に出力される信号によって該当移動通信端末機の位置を把握して該当する位置情報をウェブサーバー１２に提供する制御器５２及び基地局５１と制御器５２の間での信号送受信を遂行する交換機５３などを含み、移動通信システム５０で移動通信端末機との信号送受信を遂行する動作は既に公知の技術であるので詳細な説明は省略する。
【００８１】
本発明の第２実施例による実名を利用した地域情報提供システムの動作は前述した第１実施例と同一になり、単に使用者の位置情報を抽出する動作のみが異なって遂行される。そして、ここでクライアント３０は無線通信網に接続可能な移動通信端末機である。
【００８２】
移動通信端末機であるクライアント３０で使用者が実名を利用した地域情報提供システムのウェブページ接続用文字列を入力すると、このウェブページ接続用文字列がＷＡＰ（ｗｉｒｅｌｅｓｓ ａｐｐｌｉｃａｔｉｏｎ ｐｒｏｔｏｃｏｌ）ゲートウェイを通じてＷＭＬ（ｗｉｒｅｌｅｓｓ ｍａｒｋｕｐ ｌａｎｇｕａｇｅ）に変換された後、無線通信網を通じて移動通信サービスシステム５０に伝送され、移動通信システム５０の基地局５１はクライアント３０から伝送されたこのウェブページ接続用文字列と共に自分に付与されたコードを交換機５３を通じて制御器５２に提供する。
【００８３】
制御器５２は基地局５１から提供される基地局コードによってある地域に位置している基地局から情報が提供されたかどうかを判断し、判断の結果による基地局の位置情報と共にクライアント３０から伝送されたウェブページ接続用文字列を地域情報提供システム１０の実名サーバー１３に提供する。一方、基地局に付与されたコードによって使用者の位置情報を把握する他にも、移動通信端末機から伝送された信号が基地局に到達するのにかかる時間に基づいて移動通信端末機の位置情報を推定することもできる。
【００８４】
次に、実名サーバー１３は移動通信システム５０から提供される位置情報を使用者の位置情報として使用し、第１実施例と同一に提供されたウェブページ接続用文字列が第１実名である場合には位置情報と第１実名に基づいて実名データベース１１４を検索して対応するＩＰアドレスを探す。また、移動通信システム５０から提供された位置情報に基づいて情報提供部１２３が地域情報データベース１１２を検索して該当する地域情報を探す。その後の動作は前述した第１実施例と同一になるので詳細説明を省略する。
【００８５】
これとは異なって、クライアント３０が移動通信端末機ではない場合にもクライアント３０から提供されるＩＤなどを用いて会員情報データベース１１１を検索して使用者の移動電話番号を探した後、この移動電話番号を移動通信システム５０に提供して移動電話番号に該当する移動通信端末機の位置情報を要求することができ、これによって移動通信システム５０に提供される移動通信端末機の位置情報を使用者の位置情報として使用することもできる。
【００８６】
また、前述したように、ＰＣＳ等の無線通信網を通じたセル-ＩＤ方式で使用者の位置情報を把握することができ、これとは別にＧＰＳ（ｇｌｏｂａｌ ｐｏｓｉｔｉｏｎｉｎｇ ｓｙｓｔｅｍ）方式を用いて使用者の位置情報を把握することもできる。
【００８７】
このような第２実施例によって使用者の位置情報をより正確に把握して使用者に必要な地域情報をより正確に提供することができる。
【００８８】
前述した多数の実施例の他にも、クライアントが提携サイトを通じて接続する場合にも、つまり提携サイトのサイトで提供する入力ウィンドウを通じてウェブページ接続用文字列を入力して提携サイトからウェブページ接続用文字列が提供される場合にも、前述した第１及び第２実施例と同様にクライアントがウェブページ接続用文字列、つまり実名に該当するウェブページに接続しながら実名に該当する地域情報の提供を受けることができる。
【００８９】
また、前述した第１及び第２実施例とは違い、クライアントがＩＰアドレス確認サービスを提供するサーバーとして実名サーバーを設定しない場合、例えばクライアントが地域情報提供サービスシステムに直接接続した後に地域情報提供システムから提供するウェブページ接続用文字列入力ウィンドウ等にウェブページ接続用文字列を入力した場合、そしてクライアント自体に設置されたアプリケーションプログラムがウェブページ接続用文字列入力動作をチェックして入力されたウェブページ接続用文字列を提供した場合にも前述のように、ウェブページ接続サービス及び地域情報提供サービスが提供される。
【００９０】
このような本発明の実施例による実名を利用した地域情報提供システムはＷＷＷの他にもインターネットを通じてサービスされる電子郵便、ＦＴＰ（ｆｉｌｅ ｔｒａｎｓｆｅｒ ｐｒｏｔｏｃｏｌ）、テレネット（ｔｅｌｅｎｅｔ）などにも適用可能である。
【００９１】
本発明は前述した請求範囲から逸脱しない範囲内で多様な変更及び実施が可能である。
【００９２】
【発明の効果】
以上のように本発明の実施例による地域情報提供システムでは、使用者が既存の英文からなるドメインネームなどのＵＲＬの他実名を用いてウェブページに接続することができ、別途の検索語を入力しなくても自分が接続しようとするウェブページに関する多様な情報の提供を受けることができる。
【００９３】
また、使用者が別途に特定位置を指定しなくても探そうとするウェブページに対応する多様な地域情報の提供を受けることができるので、使用者はより便利に有用な情報の提供を受けることができる。
【図面の簡単な説明】
【図１】本発明の第１実施例による実名を利用した地域情報提供システムの構造を示したブロック図である。
【図２】本発明の第１実施例による実名を利用した地域情報提供システムの動作を順次に示したフローチャートである。
【図３】本発明の第１実施例による実名を利用した地域情報提供システムの動作を順次に示したフローチャートである。
【図４】本発明の第２実施例による実名を利用した地域情報提供システムの構造を示したブロック図である。
【符号の説明】
１０   地域情報システム
１１   データベースサーバー
１２   ウェブサーバー
１３   実名サーバー
２０   インターネット
３０   クライアント
４０   提携サイト
５０   移動通信システム
５１   基地局
５２   制御器
１１１   会員情報データベース
１１２   地域情報データベース
１１３   位置情報データベース
１１４   実名データベース
【図１】
0003621643.tif 000002
【図２】
0003621643.tif 000003
【図３】
0003621643.tif 000004
【図４】
0003621643.tif 000005